(57)【要約】【課題】コンテンツのランキングを参照してコンテンツをダウンロードするに際し、携帯電話等の機種に応じた好ましいコンテンツをダウンロードできるようにする。【解決手段】画像データを携帯電話２にダウンロードするサーバシステム１において、画像データの選択された回数を携帯電話２の機種毎に集計して機種毎に画像データのランキングを決定する。携帯電話２がサーバシステム１にアクセスすると、機種判別手段１５がアクセス中の携帯電話２の機種を判別し、機種に応じた機種別ランキング情報をランキングデータベース１４から読み出して携帯電話２に表示する。【選択図】　　　　　図１
2004133836.tif 000002
【特許請求の範囲】
【請求項１】
クライアント装置からの要求に応じて、記憶手段に記憶された多数のコンテンツから選択されたコンテンツを該クライアント装置に送信するとともに、前記各コンテンツの選択された回数を集計し、該集計結果に基づいて前記選択された回数が多い順に前記多数のコンテンツのランキングを決定するランキング決定方法において、
前記各コンテンツの選択された回数を前記クライアント装置の機種毎に集計して該クライアント装置の機種毎の前記コンテンツのランキングを表す機種別ランキング情報を生成し、
前記ランキングの表示要求を行った要求クライアント装置の機種を判別し、
該判別結果に基づいて、前記要求クライアント装置の機種に応じた機種別ランキング情報を前記要求クライアント装置に送信することを特徴とするランキング決定方法。
【請求項２】
多数のコンテンツを記憶する記憶手段と、
クライアント装置からの要求に応じて、前記記憶手段に記憶された多数のコンテンツから選択されたコンテンツを該クライアント装置に送信するコンテンツ送信手段と、
前記各コンテンツの選択された回数を前記クライアント装置の機種毎に集計して該クライアント装置の機種毎の前記コンテンツのランキングを表す機種別ランキング情報を生成するランキング情報生成手段と、
該機種別ランキング情報を記憶するランキング情報記憶手段と、
前記ランキングの表示要求を行った要求クライアント装置の機種を判別する判別手段と、
該判別結果に基づいて、前記要求クライアント装置の機種に応じた機種別ランキング情報を前記要求クライアント装置に送信するランキング情報送信手段とを備えたことを特徴とするコンテンツのランキング決定装置。
【請求項３】
クライアント装置からの要求に応じて、記憶手段に記憶された多数のコンテンツから選択されたコンテンツを該クライアント装置に送信するとともに、前記各コンテンツの選択された回数を集計し、該集計結果に基づいて前記選択された回数が多い順に前記多数のコンテンツのランキングを決定するランキング決定方法をコンピュータに実行させるためのプログラムにおいて、
前記各コンテンツの選択された回数を前記クライアント装置の機種毎に集計して該クライアント装置の機種毎の前記コンテンツのランキングを表す機種別ランキング情報を生成する手順と、
前記ランキングの表示要求を行った要求クライアント装置の機種を判別する手順と、
該判別結果に基づいて、前記要求クライアント装置の機種に応じた機種別ランキング情報を前記要求クライアント装置に送信する手順とを有するプログラム。
【発明の詳細な説明】
【０００１】
【発明の属する技術分野】
本発明は、携帯電話等のクライアント装置からの要求に応じて、画像データ、音声データ等のコンテンツをクライアント装置に送信するに際し、コンテンツのランキングをクライアント装置に表示するためのコンテンツのランキング決定方法および装置並びにランキング決定方法をコンピュータに実行させるためのプログラムに関するものである。
【０００２】
【従来の技術】
携帯電話を用いて、テキストデータ、画像データ、音声データ等のコンテンツデータをダウンロードするウェブサイトにアクセスすることにより、ウェブサイトから携帯電話にコンテンツデータをダウンロードすることが行われている。これにより、携帯電話のユーザは所望とする待ち受け画面や着信音を携帯電話に設定することが可能となる。
【０００３】
しかしながら、携帯電話の仕様（表示できる画像のフォーマット、携帯電話に設けられている液晶モニタの画面サイズ、表示可能な色数、再生可能な和音数等）は、携帯電話の機種に応じて異なる。このため、携帯電話の仕様に応じた画像データをウェブサイトの画像サーバに保管しておき、ウェブサイトにアクセスした携帯電話の仕様を判別し、判別された仕様に応じた画像データを画像サーバから読み出して携帯電話に送信するようにしたシステムが提案されている（特許文献１参照）。特許文献１によれば、携帯電話のユーザは、画像データのリクエストを行うのみで、携帯電話の仕様に適した画像データを携帯電話にダウンロードして表示することができる。
【０００４】
一方、このように携帯電話にコンテンツデータをダウンロードするウェブサイトにおいては、送信要求が多いコンテンツのランキングを付けることが行われている。例えば、携帯電話により選択された回数が多い順に、コンテンツのランキングを付けるシステムが提案されている（特許文献２参照）。特許文献２によれば、携帯電話のユーザは、ウェブサイトにアクセスしてランキングを参照することにより、ランキングをコンテンツ選択の指標として用いることができる。
【０００５】
【特許文献１】
特開２００２−２４４９７１号公報
【０００６】
【特許文献２】
特開２００２−１７６５１６号公報
【０００７】
【発明が解決しようとする課題】
携帯電話のユーザは、特許文献２に記載されたようなコンテンツのランキングを参照して、上位にランクされた人気のあるコンテンツを携帯電話にダウンロードすることができる。しかしながら、そのコンテンツが６万５千色表示可能な携帯電話を対象とする画像データである場合、画像データをダウンロードした携帯電話の再生可能色数がモノクロあるいは２５６色であると、画像データを携帯電話に表示しても、それほど高画質のものとしては再生されない。このため、再現可能色数が２５６色しかない機種の携帯電話を有するユーザが、その画像データをダウンロードしても、ランキングが上位であるにもかかわらず、そのユーザにとってはその画像データの評価が低いものとなってしまう。
【０００８】
また、音声データについても携帯電話によって再生可能な和音数が異なるため、上位にランキングされた音声データが１６和音のものであり、それをダウンロードした携帯電話が４和音しか再生できない場合には、画像データの場合と同様にそれほどよい音楽であるとは評価されないこととなってしまう。
【０００９】
本発明は上記事情に鑑みなされたものであり、携帯電話等のクライアント装置の機種に応じた好ましいコンテンツをクライアント装置にダウンロードできるようにすることを目的とする。
【００１０】
【課題を解決するための手段】
本発明によるコンテンツのランキング決定方法は、クライアント装置からの要求に応じて、記憶手段に記憶された多数のコンテンツから選択されたコンテンツを該クライアント装置に送信するとともに、前記各コンテンツの選択された回数を集計し、該集計結果に基づいて前記選択された回数が多い順に前記多数のコンテンツのランキングを決定するランキング決定方法において、
前記各コンテンツの選択された回数を前記クライアント装置の機種毎に集計して該クライアント装置の機種毎の前記コンテンツのランキングを表す機種別ランキング情報を生成し、
前記ランキングの表示要求を行った要求クライアント装置の機種を判別し、
該判別結果に基づいて、前記要求クライアント装置の機種に応じた機種別ランキング情報を前記要求クライアント装置に送信することを特徴とするものである。
【００１１】
本発明によるコンテンツのランキング決定装置は、多数のコンテンツを記憶する記憶手段と、
クライアント装置からの要求に応じて、前記記憶手段に記憶された多数のコンテンツから選択されたコンテンツを該クライアント装置に送信するコンテンツ送信手段と、
前記各コンテンツの選択された回数を前記クライアント装置の機種毎に集計して該クライアント装置の機種毎の前記コンテンツのランキングを表す機種別ランキング情報を生成するランキング情報生成手段と、
該機種別ランキング情報を記憶するランキング情報記憶手段と、
前記ランキングの表示要求を行った要求クライアント装置の機種を判別する判別手段と、
該判別結果に基づいて、前記要求クライアント装置の機種に応じた機種別ランキング情報を前記要求クライアント装置に送信するランキング情報送信手段とを備えたことを特徴とするものである。
【００１２】
なお、本発明によるコンテンツのランキング決定方法をコンピュータに実行させるためのプログラムとして提供してもよい。
【００１３】
【発明の効果】
本発明によれば、コンテンツの選択された回数がクライアント装置の機種毎に集計されて、クライアント装置の機種毎のコンテンツのランクを表す機種別ランキング情報が生成される。そして、ランキング表示の要求を行った要求クライアント装置の機種が判別され、判別結果に応じて要求クライアント装置の機種に応じた機種別ランキング情報が要求クライアント装置に送信される。これにより、要求クライアント装置には、要求クライアント装置の機種に応じたコンテンツのランキングが表示される。このため、要求クライアント装置のユーザは、ユーザが有するクライアント装置と同一機種のクライアント装置を有するユーザ間で人気のあるコンテンツを知ることができ、その結果、ランキングの表示を要求したユーザに対するランキングの信憑性を向上することができる。また、クライアント装置のユーザは、クライアント装置の機種に応じた好ましいコンテンツをダウンロードすることができる。
【００１４】
【発明の実施の形態】
以下図面を参照して本発明の実施形態について説明する。図１は本発明の実施形態によるコンテンツのランキング決定装置を備えた携帯電話システムの構成を示す概略ブロック図である。図１に示すように、本実施形態による携帯電話システムは、サーバシステム１と携帯電話通信網３を介して接続された複数の携帯電話２との間で情報のやり取りを行うものである。なお、本実施形態においては、サーバシステム１は、携帯電話２に待ち受け画面等として設定可能な画像データを送信するウェブサイトを構成するものとする。
【００１５】
サーバシステム１は、携帯電話通信網３を介して携帯電話２と通信を行う通信インターフェース１０と、画像データを携帯電話２にダウンロードするウェブページや画像データのランキングを携帯電話２に表示するウェブページを管理するウェブサーバ１１と、待ち受け画面等として携帯電話２に提供する画像データを複数記憶した画像データベース１２と、画像データの携帯電話２に選択された回数を、携帯電話２の機種毎に集計して携帯電話２の機種毎の画像データのランキングを表す機種別ランキング情報を生成するランキング情報生成手段１３と、ランキング情報生成手段１３により生成された機種別ランキング情報を記憶するランキングデータベース１４と、サーバシステム１にアクセスしてランキングのウェブページの表示要求を行った携帯電話２の機種を、機種対応テーブル１６を参照して判別する機種判別手段１５と、画像生成テーブル１８を参照して携帯電話２の機種に応じた画像データを生成する画像生成手段１７とを備える。
【００１６】
ここで、携帯電話２がサーバシステム１にアクセスする際には、ｈｔｔｐリクエストが携帯電話２からサーバシステム１に送信される。ｈｔｔｐリクエストには、携帯電話２からサーバシステム１への要求（例えば画像データの送信要求、ランキングの表示要求）が含まれるとともに、携帯電話２の機種を表すユーザエージェントなる情報が含まれている。
【００１７】
画像データベース１２には、携帯電話２の機種に応じたサイズ、色数およびフォーマットを有する複数の画像データが記憶されている。
【００１８】
ランキング情報生成手段１３は、画像データベース１２に記憶された全ての画像データについて、送信要求により選択された回数を送信要求を行った携帯電話２の機種毎に集計して、携帯電話２の機種毎の画像データのランキングを表す機種別ランキング情報を生成する。生成された機種別ランキング情報はランキングデータベース１４に記憶される。
【００１９】
なお、機種別ランキング情報が生成されると、画像データが送信される毎にランキングデータベース１４に記憶された機種別ランキング情報が更新される。例えば、画像データベース１２に記憶された画像データが、その画像データの送信要求を行った携帯電話２に送信されると、その携帯電話２の機種に対応する機種別ランキング情報において、送信された画像データに選択回数を１加算して機種別ランキング情報を更新する。
【００２０】
機種対応テーブル１６は、図２に示すように、機種名とユーザエージェントとが対応付けられてなるものであり、機種判別手段１５は、携帯電話２から送信されたｈｔｔｐリクエストに含まれるユーザエージェントに基づいて、機種対応テーブル１６を参照して、ランキングの表示要求および画像データの送信要求を行った携帯電話２の機種を判別する。
【００２１】
画像生成手段１７は、携帯電話２が画像データの送信要求を行った場合において、画像データベース１２にその携帯電話２の機種に応じたサイズ、色数およびフォーマットを有する画像データが記憶されていない場合に、画像生成テーブル１８を参照してその携帯電話２の機種に応じたサイズ、色数およびフォーマットを有する画像データを生成する。
【００２２】
図３は画像生成テーブル１８を示す図である。図３に示すように、画像生成テーブル１８は、携帯電話２の機種と、メーカー、機種に応じた液晶モニタの画面サイズ、表示可能な色数およびフォーマットとが対応付けられてなるものである。画像生成手段１７は、機種判別手段１５により判別された携帯電話２の機種に基づいて、画像生成テーブル１８を参照してその機種に応じたサイズ、色数およびフォーマットを有する画像データを生成して画像データベース１２に記憶する。
【００２３】
携帯電話２は、画像データ、ウェブページおよび電話番号等、種々の情報の表示を行う液晶モニタ２１を備える。
【００２４】
次いで、本実施形態の動作について説明する。図４は、本実施形態において行われる処理を示すフローチャートである。まず、携帯電話２が携帯電話２のユーザによりサーバシステム１にアクセスされ（ステップＳ１）、ユーザにより画像データのランキングを表示する要求がなされる（ステップＳ２）。この際、ランキング表示要求を含むｈｔｔｐリクエストが携帯電話２からサーバシステム１に送信される。
【００２５】
サーバシステム１においてはｈｔｔｐリクエストが受信され（ステップＳ３）、ｈｔｔｐリクエストに含まれるユーザエージェントに基づいて、機種判別手段１５により、アクセス中の携帯電話２の機種が判別される（ステップＳ４）。そして、ランキングデータベース１４が参照されて、判別された機種に対応する画像データの機種別ランキング情報が読み出され、ランキングのウェブページが生成される（ステップＳ５）。
【００２６】
携帯電話２においてはランキングのウェブページが液晶モニタ２１に表示される（ステップＳ６）。続いて、ユーザにより携帯電話２にダウンロードする画像データが選択されたか否かの監視が開始され（ステップＳ７）、ステップＳ７が肯定されると、選択された画像データの送信要求がなされる（ステップＳ８）。この際、ランキング表示要求を含むｈｔｔｐリクエストが携帯電話２からサーバシステム１に送信される。
【００２７】
サーバシステム１においては、ｈｔｔｐリクエストが受信され（ステップＳ９）、送信要求がなされた画像データ、すなわち携帯電話２のユーザが選択した画像データであってその携帯電話２の機種に応じた画像データが、画像データベース１２に記憶されているか否かが判定される（ステップＳ１０）。
【００２８】
なお、携帯電話２に送信された機種別ランキング情報は携帯電話２の機種に応じたものであり、その機種別ランキング情報を参照して送信指示を行った画像データは画像データベース１２に記憶されているはずである。しかしながら、例えば、携帯電話２のユーザが他の機種のランキング表示の要求を行って他の機種のランキングに基づいて画像データの送信要求を行う場合がある。本実施形態においては、このような場合を考慮してステップＳ１０の判定を行うようにしたものである。
【００２９】
ステップＳ１０が肯定されると、送信要求を行った携帯電話２の機種に応じた画像データが画像データベース１２から読み出され（ステップＳ１１）、携帯電話２に送信される（ステップＳ１２）。
【００３０】
携帯電話２においては画像データが受信され（ステップＳ１３）、液晶モニタ２１に表示され（ステップＳ１４）、処理を終了する。
【００３１】
一方、ステップＳ１０が否定されると、送信要求を行った携帯電話２の機種に応じた画像データが画像生成手段１７により生成され（ステップＳ１５）、さらに生成された画像データが画像データベース１２に記憶される（ステップＳ１６）。そしてステップＳ１１に進み、生成された画像データが携帯電話２に送信される。
【００３２】
そして、画像データの送信後、送信要求を行った携帯電話２の機種の機種別ランキング情報において、送信した画像データの選択回数に１が加算されて機種別ランキング情報が更新される（ステップＳ１７）。
【００３３】
このように、本実施形態においては、携帯電話２の機種に応じた画像データのランキングを表示するようにしたため、携帯電話２のユーザは、ユーザが有する携帯電話２と同一機種の携帯電話２を有するユーザ間で人気のある画像データを知ることができ、その結果、ランキング表示の要求を行ったユーザに対するランキングの信憑性を向上することができる。また、携帯電話２の機種に応じた好ましい画像データを携帯電話２にダウンロードすることができる。
【００３４】
なお、上記実施形態においては、携帯電話２の機種に応じた画像データを携帯電話２にダウンロードしているが、携帯電話２の機種に応じて再生可能な音声の和音数が異なる。このため、携帯電話２の機種に応じて着信音等に設定する音声データのランキングを決定し、携帯電話２の機種に応じた音声データのランキングを携帯電話２に表示するようにしてもよい。これにより、携帯電話２のユーザは、ユーザが有する携帯電話２と同一機種の携帯電話２を有するユーザ間で人気のある音声データを知ることができ、その結果、携帯電話２の機種に応じた好ましい音声データをダウンロードすることができる。
【００３５】
また、上記実施形態においては、携帯電話２に画像データや音声データをダウンロードするウェブサイトに本発明を適用しているが、ＰＤＡ、パソコン等も機種に応じて表示できる画像のフォーマット、携帯電話に設けられている液晶モニタの画面サイズ、表示可能な色数、再生可能な和音数等が異なる。このため、携帯電話２以外の種々のクライアント装置に画像データや音声データ等のコンテンツデータをダウンロードするウェブサイトにも本発明を適用することができる。
【図面の簡単な説明】
【図１】本発明の実施形態によるコンテンツのランキング決定装置を備えた携帯電話システムの構成を示す概略ブロック図
【図２】機種対応テーブルを示す図
【図３】画像生成テーブルを示す図
【図４】本実施形態において行われる処理を示すフローチャート
【符号の説明】
１　　サーバシステム
２　　携帯電話
３　　携帯電話通信網
１０　　通信インターフェース
１１　　ウェブサーバ
１２　　画像データベース
１３　　ランキング情報生成手段
１４　　ランキングデータベース
１５　　機種判別手段
１６　　機種対応テーブル
１７　　画像生成手段
１８　　画像生成テーブル
２１　　液晶モニタ
【図１】
2004133836.tif 000003
【図２】
2004133836.tif 000004
【図３】
2004133836.tif 000005
【図４】
2004133836.tif 000006